(57)【要約】【課題】光透過性を有する光透過層を介する意匠の視認性を変化させ、背景に対して、文字や記号を効果的に視認させることができる積層成形体及び積層成形品を提供する。【解決手段】光透過性を有する光透過層１１と、光透過層１１に対して光透過性の低い、又は、光透過性を有しない基材層１２とが連続する積層成形体１０であって、光透過層１１と基材層１２との接触面に意匠１３が形成されていると共に、光透過層１１及び基材層１２の少なくとも一方を照らすように配置された光源１４と組み合わされる積層成形体１０及び積層成形体１０を含む積層成形品によって達成される。【選択図】図３
2014141016.tif 000002
【特許請求の範囲】
【請求項１】
光透過性を有する光透過層と、前記光透過層に対して光透過性の低い、又は、光透過性を有しない基材層とが連続する積層成形体であって、前記光透過層と前記基材層との接触面に意匠が形成されていると共に、前記光透過層及び前記基材層の少なくとも一方を照らすように配置された光源と組み合わされる積層成形体。
【請求項２】
前記意匠が前記光透過層を介して視認可能で、前記光源からの光線の照射の有無、又は、相違により、前記意匠の視認性を変化させる、請求項１に記載の積層成形体。
【請求項３】
前記意匠が前記光透過層を介して視認不可能で、前記光源からの光線の照射により、前記意匠が視認可能となる、請求項１に記載の積層成形体。
【請求項４】
前記光透過層及び前記基材層の少なくとも一方に、光輝剤を添加した樹脂材料を採用する、請求項１乃至請求項３のいずれか１項に記載の積層成形体。
【請求項５】
前記光源が、前記積層成形体の光透過層側、側面側及び前記基材層側の少なくとも１つの層側に配置される請求項２乃至請求項４のいずれか１項に記載の積層成形体。
【請求項６】
請求項１乃至請求項５のいずれか１項に記載の積層成形体を含む積層成形品。
【発明の詳細な説明】
【技術分野】
【０００１】
本発明は、樹脂の積層成形体及び積層成形品に関する。
【背景技術】
【０００２】
意匠性や機能性を高めた樹脂成形品の一つとして積層成形品が知られている。具体的には、意匠面が複数色で加飾される多色成形品や、手に触れる部位等にすべり止め機能やソフト感を有する樹脂材料が採用された機能性成形品である。近年、自動車等の内外装部品や、家電・ＯＡ機器、携帯電子機器等に採用されるこのような積層成形品において、更なる高意匠化の要望が高まり、様々な積層成形品が考案されている。
【０００３】
例えば、特許文献１には、染料、顔料または光拡散剤を含有し且つシート面の一方向に対して単調な厚みの変化を有し、シート面に沿って連続した色調の変化（グラデーション）が認められる層と、該層に積層される透明な層との２つの層より構成されたシート状積層構造体と、該シート状積層構造体の側面端部に配置された光源部とから構成され、該光源部の光照射により色調のグラデーション効果が強調される装飾有機ガラス成形体が開示されている。
【０００４】
そして、特許文献２には、成形樹脂層の表面に透光性の加飾層が形成され、その成形樹脂層の裏面に凹凸が設けられている成形同時加飾成形品であって、裏面からの照光時のみ、加飾層から一定意匠のパターンが視認される成形同時加飾成形品が開示されている。
【先行技術文献】
【特許文献】
【０００５】
【特許文献１】特開２００２−１１３８０３号公報
【特許文献２】特開２００６−０６９１３２号公報
【発明の概要】
【発明が解決しようとする課題】
【０００６】
しかしながら、特許文献１の装飾有機ガラス成形体においては、シート面の一方向に連続するグラデーション効果の強調、すなわち、意匠面全体の意匠性の向上が目的であるため、背景に対して、文字や記号を効果的に視認させる必要がある樹脂成形品、例えば、メーカーロゴやメーカーマーク、車名やグレード名等を表示させる自動車等のエンブレムや、自動車の内装部品にそれらを表示させるための樹脂成形品、あるいは、家電・ＯＡ機器、携帯電子機器等の躯体にそれらを表示させるための樹脂成形品等には適さないという問題がある。
【０００７】
一方、特許文献２の成形同時加飾成形品においては、透光性の加飾層が薄いシート、あるいは、樹脂層（厚み０．５〜５μｍ：段落００２４）であり、この加飾層に接着層を介して連続する成形樹脂層の裏面に凹凸（意匠）が設けられている。そのため、裏面からの照光時のみに、透光性の加飾層を介して視認される一定意匠のパターンに、立体感を十分に演出することが難しいという問題がある。
【０００８】
本発明は、上記したような問題点に鑑みてなされたもので、具体的には、光透過性を有する光透過層を介する意匠の視認性を変化させ、背景に対して、文字や記号を効果的に視認させることができる積層成形体及び積層成形品を提供することを目的とする。
【課題を解決するための手段】
【０００９】
上記の目的を達成するため、本発明に係る積層成形体は、光透過性を有する光透過層と、前記光透過層に対して光透過性の低い、又は、光透過性を有しない基材層とが連続する積層成形体であって、前記光透過層と前記基材層との接触面に意匠が形成されていると共に、前記光透過層及び前記基材層の少なくとも一方を照らすように配置された光源と組み合わされる。
【００１０】
本発明に係る積層成形体は、前記意匠が前記光透過層を介して視認可能で、前記光源からの光線の照射の有無、又は、相違により、前記意匠の視認性を変化させることが好ましい。
【００１１】
一方、本発明に係る積層成形体は、前記意匠が前記光透過層を介して視認不可能で、前記光源からの光線の照射により、前記意匠が視認可能となっても良い。
【００１２】
また、本発明に係る積層成形体は、前記光透過層及び前記基材層の少なくとも一方に、光輝剤を添加した樹脂材料を採用しても良い。
【００１３】
更に、本発明に係る積層成形体は、前記光源が、前記積層成形体の光透過層側、側面側及び前記基材層側の少なくとも１つの層側に配置されることが好ましい。
【００１４】
本発明に係る積層成形品は、このような積層成形体を含む積層成形品である。
【発明の効果】
【００１５】
本発明によれば、光透過性を有する光透過層と、前記光透過層に対して光透過性の低い、又は、光透過性を有しない基材層とが連続する積層成形体であって、前記光透過層と前記基材層との接触面に意匠が形成されていると共に、前記光透過層及び前記基材層の少なくとも一方を照らすように配置された光源と組み合わされるため、光透過性を有する光透過層を介する、意匠の視認性を変化させ、背景に対して、文字や記号を効果的に視認させることができる積層成形体及び積層成形品を提供することができる。
【図面の簡単な説明】
【００１６】
【図１】実施例１に係る積層成形体及び光源の配置を示す概略平面図である。
【図２】図１の要部Ｘの拡大図である。
【図３】図２のＡ−Ａ断面における、積層成形体の意匠の視認性の変化を示す図である。
【図４】実施例２に係る積層成形体及び光源の配置を示す概略平面図である。
【図５】図４の要部Ｙの拡大図である。
【図６】図５のＢ−Ｂ断面における、積層成形体の意匠の視認性の変化を示す図である。
【図７】光源の別の配置を示す概略断面図である。
【発明を実施するための形態】
【００１７】
以下、本発明を実施するための形態について、添付図面を参照しながら詳細に説明する。
【実施例１】
【００１８】
図１乃至図３を参照しながら、本発明の実施例１に係る積層成形体を説明する。図１（ａ）及び図１（ｂ）は、積層成形体及び光源の配置を示す概略平面図である。図１（ａ）が自然光もしくは室内光のみで、光源から光線を照射していない状態、図１（ｂ）が同光源から光線を照射している状態を示す。図２は、図１（ａ）の要部Ｘの拡大図である。図３（ａ）乃至図３（ｃ）は、図２のＡ−Ａ断面における、積層成形体の意匠の視認性の変化を示す図である。図３（ａ）が自然光もしくは室内光のみで、光源から光線を照射していない状態、図３（ｂ）が同光源から光線を照射している状態、図３（ｃ）が光透過層に光輝剤を添加した樹脂材料を採用する場合の状態を示す。
【００１９】
実施例１に係る積層成形体１０は、図１及び図３に示すように、光透過性を有する光透過層１１と、光透過層１１に対して光透過性の低い、又は、光透過性を有しない基材層１２とが連続する平板状の積層成形体であって、光透過層１１と基材層１２との接触面に意匠１３が形成されていると共に、光透過層１１及び基材層１２の少なくとも一方を照らすように光源１４が積層成形体１０の側面側２箇所に対向するように配置されている。本実施例１においては、説明を簡単にするため、基材層１２は光透過性を有しないものとし、意匠１３は「ＵＢＥ」のアルファベット３文字とする。また、光源１４が光透過層１１を照らすように光透過層１１の側面側に配置されているものとする。
【００２０】
積層成形体１０は、図１（ａ）に示すように、自然光もしくは室内光のみで、光源１４から光線を照射していない状態において、光透過層１１を介して意匠１３が視認可能である。具体的には、図３（ａ）に示すように、光透過層１１側からの積層成形体１０への自然光もしくは室内光は、光透過層１１に反射する反射光α（アルファ）、光透過層１１を透過し、基材層１２に反射する反射光β（ベータ）及び意匠１３に反射する反射光γ（ガンマ）となり、それぞれの反射状態の相違により、光透過層１１側からの意匠１３の視認性を確保する。意匠１３の断面形状は、説明を簡単にするため、基材層１２からの三角状の凸形状の組み合わせとしたが、これに限定されるものではなく、自然光もしくは室内光のみで意匠１３の視認性が確保できれば、基材層１２の凹形状（光透過層１１の凸形状）であっても、２つの層に連続する凹凸形状であっても良い。
【００２１】
そして、図３（ｂ）に示すように、積層成形体１０の側面側２箇所に対向するように配置されている光源１４から光透過層1１へ光線を照射させれば、照射された光線は光透過層１１をそのまま透過し、光透過層全体を発光させると共に、意匠１３において反射光γ’となり、自然光もしくは室内光のみの状態から意匠１３の視認性を変化させる。光源１４は、方向性を有しない可視光線を照射可能な光源であれば特に制約は無い。また、光源数及び光源の配置や、光源色や照度、あるいは、方向性を有するレーザー光線等、複数種類の光源を組み合わせることにより、光透過層１１を介する意匠１３の視認性を様々に変化させることができる。
【００２２】
一方、図３（ｃ）に示すように、光透過層１１に、蛍光染料、無機系、高分子及び金属微粒子等の、光反射性や光拡散性を有する光輝剤を添加した樹脂材料を採用することにより、光源１４から光透過層１１へ照射された光線は、意匠１３だけでなく、光透過層１１に点在するこれら光輝剤の粒子１５に反射する反射光β’となり、光透過層１１を介する意匠１３の視認性を更に変化させることができる。本実施例１においては、説明を簡単にするため、基材層１２は光透過性を有せず、光源１４が光透過層１１を照らすように配置されているとしたが、基材層１２を光透過層１１に対して光透過性の低い層とし、光源１４が基材層１２も照らすように配置されれば、光源１４から光線を照射していない状態における意匠１３の視認性を確保しつつ、光透過層１１と同様に、光源１４から照射される光線により、基材層１２の発光効果を得ることができ、基材層１２にも光輝剤を添加した樹脂材料を採用すれば、基材層１２に点在する光輝剤における反射効果を得ることができる。
【００２３】
以上説明したように、本実施例１に係る積層成形体１０は、自然光もしくは室内光のみで、光源１４から光線を照射していない状態において、光透過層１１を介する意匠１３の視認性を確保しつつ、光源１４から照射される光線により、自然光もしくは室内光のみの状態から意匠１３の視認性を変化させ、背景に対して、文字や記号を効果的に視認させることができる。また、複数種類の光源を組み合わせることにより、その変化のバリエーションは多種多様である。更に、本実施例１に係る積層成形体１０は、それ自体をインサート部品として、更に別の機能性樹脂やフィルムを積層成形した積層成形品としても利用可能である。
【００２４】
このような積層成形体１０もしくは積層成形体１０を含む積層成形品には、様々な用途が考えられる。例えば、自動車等のエンブレムや自動車等の内装部品に採用すれば、表面に適度な厚みを有する光透過層を有するため、通常においても高級感のある意匠の視認性が、夜間のヘッドライトの点灯に伴い、ほのかに発光した背景に車名やグレード名が立体的に浮かび上がるように変化させるような、通常とは異なる高級感を演出したり、運転モードに応じて、それらの表示色を変化させたりするような機能性を演出することができる。一方、家電・ＯＡ機器、携帯電子機器等の躯体に、メーカー名やメーカーロゴを表示させるための樹脂成形品に採用すれば、電源投入に連動させて、発光した背景にこれら表示を立体的に浮かびあがらせたり、その発光色をランダムに変化させたりする演出が可能である。
【００２５】
このような演出の、光源を活用する部分は、特許文献１の装飾有機ガラス成形体でも可能ではあるが、意匠である文字や図形ではなく、それら背景のグラデーション効果の強調が目的であるため、光源を活用しても、２種の層が接触する界面に施された立体的パターンによる文字もしくは図形の視認性を向上させることは難しい。また、これら立体的パターンによる文字もしくは図形が、一方向に対して単調な厚みの変化を有する一方の層、すなわち、傾斜面に施されるため、透明な層からのこれら立体的パターンの視認性に、均一な厚みの立体感を演出することが困難であり、上記のような、背景に対して、様々な角度から文字や記号を効果的に視認させる必要がある樹脂成形品には適さない。
【００２６】
一方、特許文献２の成形同時加飾成形品においても、透光性の加飾層が非常に薄く、この加飾層に接着層を介して連続する成形樹脂層の裏面に設けられた凹凸（意匠）に照光して一定意匠のパターンを加飾層から視認可能にするだけなので、上記のような樹脂成形品には適さないことは、先に説明したとおりである。
【実施例２】
【００２７】
次に、図４乃至図６を参照しながら、本発明の実施例２に係る積層成形体を説明する。図４（ａ）及び図４（ｂ）は、積層成形体及び光源の配置を示す概略平面図である。図４（ａ）が自然光もしくは室内光のみで、光源から光線を照射していない状態、図４（ｂ）が同光源から光線を照射している状態を示す。図５は、図４（ｂ）の要部Ｙの拡大図である。図６（ａ）及び図６（ｂ）は、図５のＢ−Ｂ断面における、積層成形体の意匠の視認性の変化を示す図である。図６（ａ）が自然光もしくは室内光のみで、光源から光線を照射していない状態、図６（ｂ）が同光源から光線を照射している状態を示す。
【００２８】
実施例２に係る積層成形体１０’が実施例１に係る積層成形体１０と異なる点は、図４（ａ）に示すように、自然光もしくは室内光のみで、光源１４が光線を照射していない状態において、光透過層１１を介して意匠１３’が視認不可能である点である。これらの点以外は、実施例１に係る積層成形体１０と基本的に同じであるため、その詳細な説明は省略、又は、実施例１を引用して説明し、相違点についてのみ詳細に説明する。尚、この相違点に起因して、実施例１の説明と区別する対象については、実施例１と同じ符号に”’（アポストロフィ）”を付して区別するものとする。
【００２９】
先に説明したように、積層成形体１０’は、図４（ａ）に示すように、自然光もしくは室内光のみで、光源１４から光線を照射していない状態において、光透過層１１を介して意匠１３’が視認不可能である。具体的には、図６（ａ）に示すように、光透過層１１側からの積層成形体１０’への自然光もしくは室内光は、光透過層１１に反射する反射光α、基材層１２に反射する反射光β及び意匠１３に反射する反射光γとなるが、それぞれの反射状態の相違、特に、反射光β及び反射光γの反射状態の相違を小さくする、あるいは、反射光γの反射量を減少させる（視覚への入射量を減少させる）ことにより、光透過層１１側から、意匠１３を視認不可能な状態とすることができる。
【００３０】
このように、意匠面に何らかの凹凸があるにも関わらず、それを視認不可能にする技術は、意匠面に透明樹脂層を積層成形して、意匠面樹脂層のひけ（冷却固化収縮により成形品体積が減少し意匠面に生じる凹み）やウエルドライン（製品形状の制約で、金型内で複数の流動樹脂の合流部に生じる線状の凹部）等の不良部位を目視不可能とするような高意匠樹脂成形品用の成形技術として知られている。このような技術から、意匠１３’の断面形状を、基材層１２からの厚み方向の凹量の少ない凹形状としたが、これに限定されるものではなく、自然光もしくは室内光のみで意匠１３を視認不可能な状態とすることができれば、基材層１２の凸形状（光透過層１１の凹形状）であっても、２つの層に連続する凹凸形状であっても良い。
【００３１】
以上説明したように、本実施例２に係る積層成形体１０’は、自然光もしくは室内光のみで、光源１４から光線を照射していない状態において、光透過層１１を介する意匠１３’が視認不可能である点が特徴である。この特徴は、自動車等の内装部品で一定の運転モード（例えばスポーツモード等）を選択した場合にのみ、関連する操作スイッチ等の表示を、発光した背景に立体的に視認可能としたり、近年、家具化が進み、シンプルな外観イメージが重要視される、大型テレビやパソコン、あるいは、冷蔵庫等の大型家電製品において、非使用時や、誰もその部屋にいない場合はメーカーロゴ等を全く表示させず、それらを使用している間や、誰かがその部屋にいる間のみ、控えめに、しかし、印象的に表示させたりするような演出に好適である。
【００３２】
一方、本実施例２に係る積層成形体１０’が、光源１４から照射される光線により、自然光もしくは室内光のみの状態から意匠１３’の視認性を変化させ、背景に対して、文字や記号を効果的に視認させることができる点は、実施例１に係る積層成形品１０と同様であり、その説明は省略する。
【００３３】
本発明は、上記の実施の形態に限定されることなく色々な方法で実施できる。例えば、実施例１及び実施例２に係る積層成形体において、説明及び図面を簡単にするために、光源１４が積層成形体の側面側２箇所に対向するように配置されているとしたが、意匠の視認性を変化させるために、図７に示すような様々な光源の配置が可能である。例えば、自動車のナンバープレートや店舗等の看板のように、文字や記号自体を光源からの光線の照射により、効果的に視認させた上で、背景も含めた全体にも照明を当てるように、積層成形体の側面側だけでなく、光透過層側に配置させて、２つの層側から様々な光線を照射させても良い（図７（ａ））。また、積層成形体の基材層を、光透過性を有する樹脂材料として、積層成形体の側面側に加えて、背面側にも光源を配置させても良い（図７（ｂ））。この場合、光透過層を照らす光源及び基材層を照らす光源からの光線の種類を変えることができ、例えば、異なる色の光線でそれぞれの層を照らせば、単色の光線の照射時から意匠の視認性を更に変化させることが可能となる。
【符号の説明】
【００３４】
１０            積層成形体
１０’            積層成形体
１１            光透過層
１２            基材層
１３            意匠
１３’            意匠
１４            光源
１５            光輝剤の粒子
【図１】
2014141016.tif 000003
【図２】
2014141016.tif 000004
【図３】
2014141016.tif 000005
【図４】
2014141016.tif 000006
【図５】
2014141016.tif 000007
【図６】
2014141016.tif 000008
【図７】
2014141016.tif 000009